(57)【要約】  画像表示装置は、ユーザの頭部に装着可能なフレームと、表示部に赤色光、緑色光、青色光、及び近赤外光を時分割で照射可能な光源であって、赤色光と緑色光と青色光とによってユーザが視認可能なオブジェクト画像が形成され、近赤外光によってユーザが視認不可能なパターン画像が形成されるように、赤色光、緑色光、青色光、及び近赤外光を照射する、光源と、フレームを装着したユーザの眼に対向する位置に配置され、光源から照射される赤色光、緑色光、青色光、及び近赤外光を反射してユーザの眼に照射可能な表示部であって、ユーザは表示部を通して周囲を視認することができる、透過型の表示部と、フレームを装着したユーザの眼の網膜に映るパターン画像である網膜画像を含む画像を撮影する近赤外光カメラと、近赤外光カメラによって撮影された撮影画像中の網膜画像に基づいて、眼の挙動を検出する制御部と、を備える。
2018158921.tif 000002
【特許請求の範囲】
【請求項１】
画像表示装置であって、
ユーザの頭部に装着可能なフレームと、
前記表示部に赤色光、緑色光、青色光、及び近赤外光を時分割で照射可能な光源であって、前記赤色光と前記緑色光と前記青色光とによって前記ユーザが視認可能なオブジェクト画像が形成され、前記近赤外光によって前記ユーザが視認不可能なパターン画像が形成されるように、前記赤色光、前記緑色光、前記青色光、及び前記近赤外光を照射する、前記光源と、
前記フレームを装着した前記ユーザの眼に対向する位置に配置され、前記光源から照射される前記赤色光、前記緑色光、前記青色光、及び前記近赤外光を反射して前記ユーザの前記眼に照射可能な表示部であって、前記ユーザは前記表示部を通して周囲を視認することができる、透過型の前記表示部と、
前記フレームを装着した前記ユーザの前記眼の網膜に映る前記パターン画像である網膜画像を含む画像を撮影する近赤外光カメラと、
前記近赤外光カメラによって撮影された撮影画像中の前記網膜画像に基づいて、前記眼の向きと、前記眼の位置と、前記眼の焦点距離と、前記眼の動作と、のうちの少なくとも１つを含む前記眼の挙動を検出する制御部と、
を備える、画像表示装置。
【請求項２】
前記制御部によって検出される前記挙動は、前記眼の位置を含み、
前記制御部は、さらに、
検出された前記眼の位置に基づいて、前記光源による前記赤色光、前記緑色光、前記青色光、及び前記近赤外光の前記表示部への照射位置を変更する、
請求項１に記載の画像表示装置。
【請求項３】
前記光源から照射されて前記表示部に向かう前記赤色光、前記緑色光、前記青色光、及び前記近赤外光の照射経路中に存在し、入射される光の角度を変更して出射可能な光学部材と、
前記光源と前記光学部材との間の距離を変更可能な変更機構と、をさらに備え、
前記制御部によって検出される前記挙動は、前記眼の焦点距離を含み、
前記制御部は、さらに、
検出された焦点距離に基づいて、前記変更機構に前記光源と前記光学部材との間の距離を変更させる、
請求項１又は２に記載の画像表示装置。
【請求項４】
機能を実行するための機能実行部をさらに備え、
前記制御部によって検出される前記挙動は、前記眼の向きと前記眼の動作とのうちの少なくとも一方を含み、
前記制御部は、さらに、
検出された前記眼の向きと前記眼の動作とのうちの少なくとも一方に基づいて、前記機能実行部に前記機能を実行させる、
請求項１から３のうちのいずれか一項に記載の画像表示装置。
【請求項５】
前記制御部は、さらに、前記網膜画像に基づいて前記網膜の表面に表れる血管パターンを特定し、特定された血管パターンを用いてユーザ認証を行う、
請求項１から４のうちのいずれか一項に記載の画像表示装置。
【請求項６】
眼の挙動検出方法であって、
ユーザの眼に、前記ユーザが視認不可能なパターン画像を形成する近赤外光を照射する工程と、
近赤外光カメラによって、前記ユーザの前記眼の網膜に映る前記パターン画像である網膜画像を含む画像を撮影する工程と、
撮影された撮影画像中の前記網膜画像に基づいて、前記眼の向きと、前記眼の位置と、前記眼の焦点距離と、前記眼の動作と、のうちの少なくとも１つを含む前記眼の挙動を検出する工程と、
を備える、眼の挙動検出方法。
【発明の詳細な説明】
【技術分野】
【０００１】
本明細書によって開示される技術は、ユーザの頭部に装着して用いられる画像表示装置と、ユーザの眼の挙動を検出するための方法と、に関する。
【背景技術】
【０００２】
例えば、特開２０１６−１２７５８７号公報（以下、特許文献１という）には、ユーザの頭部に装着して使用されるヘッドマウントディスプレイが開示されている。このヘッドマウントディスプレイは、非可視光を照射可能な光源と、光源から照射され、ユーザの眼で反射された非可視光を撮影するカメラと、カメラが撮影した画像に基づいてユーザの視線方向を検出する視線検出部と、を備える。
【発明の概要】
【発明が解決しようとする課題】
【０００３】
ユーザの眼で反射された非可視光の画像が、ユーザの眼の挙動を適切に反映しない可能性がある。【０００４】
本明細書では、ユーザの眼の挙動を適切に検出し得る技術を開示する。【０００５】
本明細書によって開示される画像表示装置は、ユーザの頭部に装着可能なフレームと、前記表示部に赤色光、緑色光、青色光、及び近赤外光を時分割で照射可能な光源であって、前記赤色光と前記緑色光と前記青色光とによって前記ユーザが視認可能なオブジェクト画像が形成され、前記近赤外光によって前記ユーザが視認不可能なパターン画像が形成されるように、前記赤色光、前記緑色光、前記青色光、及び前記近赤外光を照射する、前記光源と、前記フレームを装着した前記ユーザの眼に対向する位置に配置され、前記光源から照射される前記赤色光、前記緑色光、前記青色光、及び前記近赤外光を反射して前記ユーザの前記眼に照射可能な表示部であって、前記ユーザは前記表示部を通して周囲を視認することができる、透過型の前記表示部と、前記フレームを装着した前記ユーザの前記眼の網膜に映る前記パターン画像である網膜画像を含む画像を撮影する近赤外光カメラと、前記近赤外光カメラによって撮影された撮影画像中の前記網膜画像に基づいて、前記眼の向きと、前記眼の位置と、前記眼の焦点距離と、前記眼の動作と、のうちの少なくとも１つを含む前記眼の挙動を検出する制御部と、を備える。【０００６】
この構成によると、画像表示装置は、網膜に映るパターン画像である網膜画像に基づいて、眼の挙動を検出する。一般的に、網膜には、ユーザが眼を通じて認識する像と同じ像が映る。即ち、網膜画像は、ユーザの眼の挙動（即ち、眼の向きと、眼の位置と、眼の焦点距離と、眼の動作と、のうちの少なくとも１つ）を直接反映した画像である。従って、上記の画像表示装置によると、ユーザの眼の反射光に基づいてユーザの眼の挙動を検出する構成を採用する場合に比べて、ユーザの眼の挙動を適切に検出し得る。【０００７】
前記制御部によって検出される前記挙動は、前記眼の位置を含んでもよい。前記制御部は、さらに、検出された前記眼の位置に基づいて、前記光源による前記赤色光、前記緑色光、前記青色光、及び前記近赤外光の前記表示部への照射位置を変更してもよい。【０００８】
ユーザ毎に眼の位置は異なる。ここで、「眼の位置」とは、例えば、左眼と右眼との間の距離、眼の高さ等を含む。上記の構成によると、画像表示装置は、検出された眼の位置に基づいて、光源による表示部への光の照射位置を変更することができる。従って、ユーザ毎の眼の位置に応じた適切な位置にオブジェクト画像及びパターン画像を表示させることができる。【０００９】
前記光源から照射されて前記表示部に向かう前記赤色光、前記緑色光、前記青色光、及び前記近赤外光の照射経路中に存在し、入射される光の角度を変更して出射可能な光学部材と、前記光源と前記光学部材との間の距離を変更可能な変更機構と、をさらに備えてもよい。前記制御部によって検出される前記挙動は、前記眼の焦点距離を含んでもよい。前記制御部は、さらに、検出された焦点距離に基づいて、前記変更機構に前記光源と前記光学部材との間の距離を変更させてもよい。【００１０】
この構成によると、画像表示装置は、眼の焦点距離、即ち、ユーザの眼が、ユーザの眼からどれくらい離れた位置にピントを合わせているのかを検出することができる。そして、画像表示装置は、検出された焦点距離に基づいて、オブジェクト画像及びパターン画像を、ユーザの眼の焦点距離（即ちユーザが焦点を合わせている距離）に合わせて表示させることができる。【００１１】
ここで、「光学部材」は、例えば、レンズ、ミラーなど、入射される光の角度を変更して出射可能なものであれば任意の光学部材を含む。また、「光学部材」は、光源が形成するオブジェクト画像及びパターン画像を拡大可能な部材であってもよい。【００１２】
機能を実行するための機能実行部をさらに備えてもよい。前記制御部によって検出される前記挙動は、前記眼の向きと前記眼の動作とのうちの少なくとも一方を含んでもよい。前記制御部は、さらに、検出された前記眼の向きと前記眼の動作との少なくとも一方に基づいて、前記機能実行部に前記機能を実行させてもよい。【００１３】
この構成によると、画像表示装置は、手や指による操作が行われない場合であっても、ユーザの眼の向きと眼の動作とのうちの少なくとも一方に基づいて、機能実行部に機能を実行させることができる。【００１４】
ここで、「機能実行部」とは、例えば、音楽再生装置、カメラ、表示部等を含む。機能を実行することは、音楽の再生、録音の開始及び停止、カメラによる撮影、オブジェクト画像の表示態様の変更（例えば拡大、縮小等）等、任意の機能の実行を含んでもよい。【００１５】
前記制御部は、さらに、前記網膜画像に基づいて前記網膜の表面に表れる血管パターンを特定し、特定された血管パターンを用いてユーザ認証を行ってもよい。【００１６】
ユーザの網膜に表れる血管パターンは当該ユーザに固有である。そのため、この構成によると、画像表示装置は、ユーザに固有の網膜に表れる血管パターンを用いてユーザ認証を行うことができる。ユーザは、認証のための個別の操作を行う必要がない。【００１７】
本明細書によって開示される眼の挙動検出方法は、ユーザの眼に、前記ユーザが視認不可能なパターン画像を形成する近赤外光を照射する工程と、近赤外光カメラによって、前記ユーザの前記眼の網膜に映る前記パターン画像である網膜画像を含む画像を撮影する工程と、撮影された撮影画像中の前記網膜画像に基づいて、前記眼の向きと、前記眼の位置と、前記眼の焦点距離と、前記眼の動作と、のうちの少なくとも１つを含む前記眼の挙動を検出する工程と、を備える。【００１８】
上記の方法では、網膜に映るパターン画像である網膜画像に基づいて、眼の挙動を検出する。従って、上記の方法によると、ユーザの眼の反射光に基づいてユーザの眼の挙動を検出する方法に比べて、ユーザの眼の挙動を適切に検出し得る。【００１９】
なお、上記の画像表示装置を実現するための制御方法、コンピュータプログラム、及び、当該コンピュータプログラムを格納するコンピュータ読取可能媒体も、新規で有用である。
【図面の簡単な説明】
【００２０】
【図１】画像表示装置の外観を示す。
【図２】画像表示装置のブロック図を示す。
【図３】投影部の概要を示す。
【図４】画像取得処理のフローチャートを示す。
【図５】ユーザの眼が正面を向いており、パターン画像に焦点が合っている場合の撮影画像の例を示す。
【図６】ユーザの眼が右上を向いており、パターン画像に焦点が合っている場合の撮影画像の例を示す。
【図７】ユーザの眼が正面を向いているが、パターン画像に焦点が合っていない場合の撮影画像の例を示す。
【図８】ユーザが眼を閉じている場合の撮影画像の例を示す。
【図９】キャリブレーション処理のフローチャートを示す。
【図１０】挙動検出処理のフローチャートを示す。
【図１１】焦点調整処理のフローチャートを示す。
【図１２】認証処理のフローチャートを示す。
【００２１】
（実施例）
（画像表示装置１０の構成；図１〜図３）
図１に示す画像表示装置２は、ユーザの頭部に装着して用いられる画像表示装置（いわゆるヘッドマウントディスプレイ）である。図１に示すように、画像表示装置１０は、フレーム１２と、右表示部１４Ｒと、左表示部１４Ｌと、操作部１６と、右外部カメラ１８Ｒと、左外部カメラ１８Ｌと、右ＩＲ（Infraredの略）カメラ２０Ｒと、左ＩＲカメラ２０Ｌと、右投影部３０Ｒと、左投影部３０Ｌと、コントロールボックス５０と、を備えている。以下、右表示部１４Ｒと左表示部１４Ｌとを区別せずに呼ぶ場合には単に「表示部１４」と呼ぶ場合がある。同様に、右外部カメラ１８Ｒと左外部カメラ１８Ｌとを「外部カメラ１８」と呼び、右ＩＲカメラ２０Ｒと左ＩＲカメラ２０Ｌとを「ＩＲカメラ２０」と呼び、右投影部３０Ｒと左投影部３０Ｌとを「投影部３０」と呼ぶ場合がある。【００２２】
フレーム１２は、眼鏡フレーム状の部材である。ユーザは、眼鏡を装着するようにフレーム１２を装着することによって、画像表示装置１０を頭部に装着することができる。【００２３】
表示部１４は透光性の表示部材である。ユーザが画像表示装置１０を頭部に装着すると、ユーザの右眼に対向する位置に右表示部１４Ｒが配置され、左眼に対向する位置に左表示部１４Ｌが配置される。また、表示部１４は、ハーフミラー構造を有しており、投影部３０から照射される光（具体的には赤色光、緑色光、青色光、及び近赤外光）を反射して眼に照射することができる（図３参照）。【００２４】
操作部１６は、複数個のボタン、ダイヤル等を含む。ユーザは、操作部１６を操作して、画像表示装置１０に様々な操作を入力することができる。【００２５】
外部カメラ１８は、画像表示装置１０を装着するユーザの視界範囲に対応する範囲（以下では「特定範囲」と呼ぶ場合がある）を撮影するためのカメラである。右外部カメラ１８Ｒは、フレーム１２のうち、右表示部１４Ｒの上方位置（即ち、ユーザの右眼の上方に対応する位置）に配置されている。一方、左外部カメラ１８Ｌは、フレーム１２のうち、左表示部１４Ｌの上方位置（即ち、ユーザの左眼の上方に対応する位置）に配置されている。右外部カメラ１８Ｒはユーザの右眼の視界範囲を撮影し、左外部カメラ１８Ｌはユーザの左眼の視界範囲を撮影する。【００２６】
ＩＲカメラ２０は、人間の眼で視認不可能な光である近赤外光による画像（例えば図３のパターン画像１１０）を撮影可能なカメラであり、画像表示装置１０を装着するユーザの眼の画像を撮影する。以下では、ＩＲカメラ２０によって撮影された画像のことを「ＩＲ撮影画像」と呼ぶ場合がある。【００２７】
投影部３０は、表示部１４に光（具体的には赤色光、緑色光、青色光、及び近赤外光）を照射するための部材である。右投影部３０Ｒ、左投影部３０Ｌは、それぞれ、右表示部１４Ｒ、左表示部１４Ｌの側部に設けられている。右投影部３０Ｒは右表示部１４Ｒに光を照射し、左投影部３０Ｌは左表示部１４Ｌに光を照射する。投影部３０は、制御部６０（図２参照）の指示に従って、様々な態様で光を照射する。【００２８】
図２、図３に示すように、投影部３０は、ＬＥＤ（Light Emitting Diodeの略）パネル３２と、プリズム３４と、ＬＣＯＳ（Liquid Crystal On Silicon）パネル３６と、レンズ３８と、駆動機構４０と、を備えている。ＬＥＤパネル３２は、赤色光を照射可能な赤色ＬＥＤ（即ちＲ−ＬＥＤ）と、緑色光を照射可能な緑色ＬＥＤ（即ちＧ−ＬＥＤ）と、青色光を照射可能な青色ＬＥＤ（即ちＢ−ＬＥＤ）と、近赤外光を照射可能な近赤外ＬＥＤ（即ちＩＲ−ＬＥＤ）と、を備えている。本実施例では、ＬＥＤパネル３２は、制御部６０（図２参照）の指示に従って、赤色光、緑色光、青色光、及び、近赤外光を時分割で照射する。赤色光、緑色光、青色光は、人間が視認可能（即ち知覚可能）な波長を有する。即ち、本実施例では、ＬＥＤパネル３２が赤色光、緑色光、青色光を時分割で照射することによって、ユーザが視認可能なオブジェクト画像１００が形成される。オブジェクト画像１００の内容は、状況に応じて異なる。例えば、後述のキャリブレーション処理（図９）の実行中には、オブジェクト画像１００として所定のマーカ画像が表示される。これに対し、近赤外光は、人間が視認不可能（即ち知覚不可能）な波長を有する。本実施例では、ＬＥＤパネル３２が近赤外光を照射することによって、ユーザが視認不可能なパターン画像１１０が形成される。パターン画像１１０は、予め決められた画像である。図３の例では、パターン画像１１０は所定の網掛けパターンを表わしている。他の例では、パターン画像１１０は他のパターンを表わしてもよい。例えば、パターン画像１１０が同心円パターンや所定のモザイクパターン等を表わしてもよい。図３の矢印２００に示すように、ＬＥＤパネル３２が照射する光は、プリズム３４に入射される。【００２９】
プリズム３４は、入射される光の角度を変更する光学部材である。上記の通り、ＬＥＤパネル３２が照射する光は、プリズム３４に入射される（図３の矢印２００参照）。プリズム３４に入射された光は、プリズム３４によって角度を変更され、ＬＣＯＳパネル３６に投射される（矢印２０２参照）。【００３０】
ＬＣＯＳパネル３６は、プリズム３４から投射される光を、形成されるべき画像に応じて反射するスクリーンである。赤色光、緑色光、青色光が時分割で照射されることにより、ＬＣＯＳパネル３６から、オブジェクト画像１００が反射されて、投影される。矢印２０４に示すように、ＬＣＯＳパネル３６から投影された画像は、プリズム３４を透過してレンズ３８に入射され、レンズ３８によって拡大（即ち角度を変更されて）、表示部１４に側方から投射される。【００３１】
レンズ３８は、ＬＣＯＳパネル３６からプリズム３４を透過して入射された光を拡大（即ち角度を変更）して表示部１４に側方から投射するための光学部材である。【００３２】
表示部１４に側方から入射された光は、ハーフミラー構造を有する表示部１４によって反射され、ユーザの眼３００に照射される（矢印２０６参照）。そして、眼３００に照射された光は、虹彩３０２の中央の瞳孔３０３と、水晶体３０４とを通過し、網膜３０６に照射される。この結果、網膜３０６上に画像が結像される。網膜３０６上にオブジェクト画像１００が結像されている場合、ユーザは、表示部１４を透過して視認可能な現実の空間内にオブジェクト画像１００（図３中の画像１００Ａ又は１００Ｂ）が表示されている様子を視認することができる。なお、網膜３０６上にパターン画像１１０が結像される場合、ユーザは、パターン画像１１０を視認することはできない。上記の通り、パターン画像１１０は近赤外光によって形成されているためである。上記のＩＲカメラ２０は、眼３００に照射されたパターン画像１１０を撮影する（図５〜図８参照）。【００３３】
駆動機構４０は、レンズ３８の位置を変更するための装置である。駆動機構４０により、レンズ３８とＬＣＯＳパネル３６との距離を変更することができる（図３の矢印Ｍ参照）。駆動機構４０でレンズ３８の位置を変更することにより、ユーザが視認するオブジェクト画像１００の体感視認距離を変更することができる。体感視認距離について、図３の例を参照して説明する。図３の例では、オブジェクト画像１００Ａは、位置Ｐ１に存在する表示部１４から距離Ｄ１だけ離れた位置Ｐ２に存在するように視認される。一方、オブジェクト画像１００Ｂは、位置Ｐ１に存在する表示部１４から距離Ｄ１＋Ｄ２だけ離れた位置Ｐ３に存在するように視認される。本実施例では、駆動機構４０でレンズ３８の位置を変更することにより、オブジェクト画像１００が視認される位置を位置Ｐ２と位置Ｐ３の間で変更することができる。【００３４】
図１、図２に示すコントロールボックス５０は、フレーム１２の一部に内蔵されている制御装置である。コントロールボックス５０には、画像表示装置１０の制御系統を司る各要素が収容されている。具体的には、図２に示すように、コントロールボックス５０には、制御部６０と、メモリ６２と、無線通信インターフェース６４と、が収容されている。以下では、インターフェースのことを「Ｉ／Ｆ」と記載する。【００３５】
制御部６０は、メモリ６２に記憶されているプログラムに従って様々な処理を実行する。また、制御部６０は、図２に示すように、操作部１６、外部カメラ１８、ＩＲカメラ２０、投影部３０、メモリ６２、及び、無線通信Ｉ／Ｆ６４と電気的に接続されており、これらの各要素の動作を制御することができる。【００３６】
メモリ６２は、様々なプログラムを記憶している。また、メモリ６２は、制御部６０の処理に伴って生成される様々な情報を記憶する領域も有している。【００３７】
無線通信Ｉ／Ｆ６４は、図示しないインターネットを介して外部の装置と無線通信（即ちＷｉ−Ｆｉ通信）を実行するためのＩ／Ｆである。【００３８】
（制御部６０が実行する各処理；図４〜図１２）
続いて、図４〜図１２を参照して、画像表示装置１０の制御部６０によって実行される各処理を説明する。本実施例では、制御部６０は、画像取得処理（図４）、キャリブレーション処理（図９）、挙動検出処理（図１０）、焦点調整処理（図１１）、認証処理（図１２）の各処理を状況に応じて実行する。以下、各処理について詳しく説明する。【００３９】
（画像取得処理；図４）
図４を参照して、制御部６０が実行する画像取得処理の内容を説明する。画像取得処理は、制御部６０がＩＲカメラ２０の撮影画像（即ちＩＲ撮影画像）を取得するための処理である。画像表示装置１０の電源がＯＮされると、制御部６０は、図４の画像取得処理を開始する。制御部６０は、画像表示装置１０の電源がＯＮされている間、画像取得処理を繰り返し実行する。【００４０】
Ｓ１０〜Ｓ１６では、制御部６０は、ＬＥＤパネル３２に赤色光、緑色光、青色光、近赤外光を時分割で照射させる。即ち、Ｓ１０では、制御部６０は、ＬＥＤパネル３２に赤色光を照射させる。Ｓ１０で照射させる赤色光は、この時点で表示されるべきオブジェクト画像１００を構成する赤色光である。表示されるべきオブジェクト画像１００の内容は状況に応じて異なる。【００４１】
続くＳ１２では、制御部６０は、ＬＥＤパネル３２に緑色光を照射させる。Ｓ１２で照射させる緑色光も、この時点で表示されるべきオブジェクト画像１００を構成する緑色光である。【００４２】
続くＳ１４では、制御部６０は、ＬＥＤパネル３２に青色光を照射させる。Ｓ１４で照射させる青色光も、この時点で表示されるべきオブジェクト画像１００を構成する青色光である。即ち、Ｓ１０〜Ｓ１４で赤色光、緑色光、青色光が照射されることにより、ユーザはオブジェクト画像１００を視認することができる。【００４３】
続くＳ１６では、制御部６０は、ＬＥＤパネル３２に近赤外光を照射させる。これにより、ユーザの眼３００にパターン画像１１０（図３参照）を形成する近赤外光が照射される。ただし、ユーザはパターン画像１１０を知覚することはない。【００４４】
続くＳ１８では、制御部６０は、この時点でＩＲカメラ２０が撮影するＩＲ撮影画像（図５〜図８参照）を取得する。ＩＲ撮影画像には、Ｓ１６でユーザの眼３００に投影されたパターン画像１１０の画像が含まれる。Ｓ１８を終えると、制御部６０は、Ｓ１０に戻り、再度ＬＥＤパネル３２に赤色光を照射させる。制御部６０は、画像表示装置１０の電源がＯＮされている間、Ｓ１０〜Ｓ１８の各処理を繰り返し実行する。【００４５】
（ＩＲ撮影画像の具体例；図５〜図８）
ここで、図５〜図８を参照して、図４のＳ１８で取得されるＩＲ撮影画像４００の具体例を説明しておく。【００４６】
図５の例は、ユーザの視線が正面を向いており、かつ、パターン画像１１０の体感視認距離に眼の焦点が合っている場合のＩＲ撮影画像４００である。この場合、眼３００に投影されたパターン画像１１０のうち、網膜に映った部分である網膜画像３１０は、パターン画像１１０の中央部分を鮮明に表している。このことは、パターン画像１１０が表示されている視認距離（例えば図３のＰ２、Ｐ３等）と、ユーザが見ている距離（即ち、ユーザの眼３００の焦点距離）と、が合致していることを意味する。なお、眼３００に映るパターン画像１１０のうち、網膜画像３１０以外の部分である周辺画像３２０は、眼球の表面における反射等の諸要因により、網膜画像３１０に比べて鮮明に撮影されない。一方、網膜画像３１０は、ユーザが視認する画像をそのまま投影した画像と言えるため、反射等による誤差が生じにくい。なお、図５中、太線で示されている部分は鮮明に表示されていることを示し、細線で示されている部分は不鮮明に表示されていることを示す（以下図６〜図８においても同様）。なお、図５の例では、理解の容易のために仮想線で眼３００を図示しているが、実際には、ＩＲ撮影画像４００はパターン画像１１０（即ち網膜画像３１０及び周辺画像３２０）のみを含み、眼３００の画像は含まない。以下図６〜図８でも同様とする。図５の例に示すように、パターン画像１１０が網膜３０６を含む眼３００に照射されている場合には、網膜画像３１０と周辺画像３２０とで、パターン画像１１０が示すパターンにズレが生じる。このように、制御部６０は、網膜画像３１０を含むＩＲ撮影画像４００を、予め定められた基準に従って分析することによって、ユーザの眼の視線及び焦点距離を把握することができる。また、ユーザが瞼を閉じているかどうかを判別することもできる。制御部６０は、時系列に沿って複数枚の連続するＩＲ撮影画像４００を分析することにより、ユーザが眼を閉じているのか、まばたきを行っているのか等を含む眼の動作も分析することができる。【００４７】
図６の例は、ユーザの視線が正面からずれているが、パターン画像１１０の表示位置に眼の焦点が合っている場合のＩＲ撮影画像４００である。この場合、網膜画像３１０は、パターン画像１１０のうちの端の一部のみを鮮明に示す。この場合も、網膜画像３１０と周辺画像３２０とでパターンにズレが生じている。【００４８】
図７の例は、ユーザの視線は正面を向いているが、パターン画像１１０の表示位置に眼の焦点が合っていない場合のＩＲ撮影画像４００である。この場合、網膜画像３１０は、パターン画像１１０の中央部分を含むが、不鮮明である。この場合も、網膜画像３１０と周辺画像３２０とでパターンにズレが生じている。【００４９】
図８の例は、画像が取得されるタイミングでユーザが瞼を閉じていた場合のＩＲ撮影画像４００である。この場合、ＩＲ撮影画像４００には網膜画像３１０は含まれない。即ち、パターン画像１１０が示すパターンにズレが含まれない（即ち網膜画像３１０と周辺画像３２０が含まれない）ため、制御部６０はユーザが瞼を閉じていることを判別することができる。【００５０】
（キャリブレーション処理；図９）
続いて、図９を参照して、制御部６０が実行するキャリブレーション処理の内容を説明する。キャリブレーション処理は、制御部６０が、ユーザの眼３００の位置（右眼と左眼との間隔、眼の高さ等）、眼３００の焦点距離（ユーザの視力も含む）に応じて、オブジェクト画像１００及びパターン画像１１０を表示させる位置及び焦点距離を調整するための処理である。画像表示装置１０の電源がＯＮされると、制御部６０は、図４の画像取得処理とともに図９のキャリブレーション処理を開始する。【００５１】
Ｓ３０では、制御部６０は、ＬＥＤパネル３２に、マーカ画像（図示省略）が形成されるように光を照射させる。ここで、マーカ画像とは、キャリブレーション処理専用のオブジェクト画像であり、ユーザに特定の点を注視させるように促すための画像である。マーカ画像は、例えば星形などのポインタを示す画像であればよい。また、マーカ画像とともに、マーカ画像を注視するようにユーザが促すためのメッセージが表示されてもよい。上記の通り、制御部６０は、ＬＥＤパネル３２に赤色光、緑色光、青色光、近赤外光を時分割で照射させている（図４のＳ１０〜Ｓ１６）。即ち、Ｓ３０では、制御部６０は、ＬＥＤパネル３２に、マーカ画像が形成されるように赤色光、緑色光、青色光を時分割で照射させる。Ｓ３０の処理が実行されることにより、ユーザは、現実空間内にマーカ画像が表示されている様子を視認することができる。ユーザは、マーカ画像を注視することができる。【００５２】
続くＳ３２では、制御部６０は、ＩＲ撮影画像４００（図５〜図８参照）が取得されることを監視する。上記の通り、Ｓ３０の処理が実行されることによって、ユーザの視界にマーカの画像が表示される。ユーザはそのマーカ画像を注視することができる。その状態でＬＥＤパネル３２が近赤外光を照射することによって、パターン画像１１０がユーザの眼に投影され（図４のＳ１６）、その様子がＩＲカメラ２０によって撮影されると（図４のＳ１８）、制御部６０は、この時点のＩＲ撮影画像４００を取得することができる。その場合、制御部６０は、Ｓ３２でＹＥＳと判断し、Ｓ３４に進む。【００５３】
Ｓ３４では、制御部６０は、取得されたＩＲ撮影画像４００を分析する。具体的には、Ｓ３４では、制御部６０は、ＩＲ撮影画像４００に含まれる網膜画像３１０と周辺画像３２０とを参照し、パターン画像１１０の表示位置とユーザの眼３００の位置との差、及び、ユーザの眼３００の焦点距離（自然に焦点が合う距離）とパターン画像１１０の体感表示距離（図３のＰ２、Ｐ３等参照）との差を特定する。ユーザの眼３００の位置（左眼と右眼の間隔、眼の高さ等）は、ユーザ毎に異なるため、初期設定に基づいてパターン画像１１０が表示される表示位置は、ユーザの眼３００の位置に適合しない場合がある。Ｓ３４では、制御部６０は、ＩＲ撮影画像４００に基づいて、パターン画像１１０の表示位置とユーザの眼３００の位置との差（以下では「位置差」と呼ぶ場合がある）を特定することができる。また、ユーザの眼３００の焦点距離は、ユーザの視力、ユーザが自然に焦点を合わせる距離等によって異なるため、初期設定に基づいてパターン画像１１０が表示される体感表示距離は、ユーザの眼３００の焦点距離に適合しない場合がある。Ｓ３４では、制御部６０は、ＩＲ撮影画像４００に基づいて、パターン画像１１０の表示距離とユーザの眼３００の焦点距離との差（以下では「焦点差」と呼ぶ場合がある）を特定することもできる。【００５４】
Ｓ３６では、制御部６０は、Ｓ３４で特定された位置差の値が第１の閾値以上であるか否かを判断する。所定の閾値は、予め定められた値であり、位置差の値が所定の閾値以上である場合、ユーザが、オブジェクト画像１００（図３参照）は目の前に表示されていない（即ち位置がずれている）と認識できる程度の値である。位置差の値が第１の閾値以上である場合、制御部６０は、Ｓ３６でＹＥＳと判断し、Ｓ３８に進む。一方、位置差の値が第１の閾値より小さい場合、制御部６０は、Ｓ３６でＮＯと判断し、Ｓ３８をスキップしてＳ４０に進む。【００５５】
Ｓ３８では、制御部６０は、マーカ画像の表示位置を変更するための位置補正値を特定する。位置補正値は、Ｓ３４で特定された位置差が小さくなるように、ＬＣＯＳパネル３６がプリズム３４に向かって画像を照射する照射位置を変更するための補正値である。Ｓ３８を終えると、制御部６０は、Ｓ４０に進む。【００５６】
Ｓ４０では、制御部６０は、Ｓ３４で特定された焦点差の値が第２の閾値以上であるか否かを判断する。第２の閾値は、予め定められた値であり、焦点差の値が第２の閾値以上である場合、ユーザが、オブジェクト画像１００（図３参照）が鮮明に表示されていないと認識できる程度の値である。焦点差の値が第２の閾値以上である場合、制御部６０は、Ｓ４０でＹＥＳと判断し、Ｓ４２に進む。一方、焦点差の値が第２の閾値より小さい場合、制御部６０は、Ｓ４０でＮＯと判断し、Ｓ４２をスキップしてＳ４４に進む。【００５７】
Ｓ４２では、制御部６０は、マーカ画像の焦点距離を変更するための焦点補正値を特定する。焦点補正値は、Ｓ３４で特定された焦点差が小さくなるように、レンズ３８の位置を変更するための補正値である。Ｓ４２を終えると、制御部６０は、Ｓ４４に進む。【００５８】
Ｓ４４では、制御部６０は、位置差が第１の閾値より小さく、かつ、焦点差が第２の閾値より小さかったか否か（即ち、上記のＳ３６及びＳ４０でともにＮＯと判断されたか否か）を判断する。位置差が第１の閾値より小さく、かつ、焦点差が第２の閾値より小さかった場合、制御部６０は、Ｓ４４でＹＥＳと判断し（即ち、位置差、焦点差がともに許容範囲内であると判断し）、Ｓ４６に進む。一方、位置差が第１の閾値以上（Ｓ３６でＹＥＳ）であることと、焦点差が第２の閾値以上（Ｓ４０でＹＥＳ）であることとのうちの少なくとも一方が成立していた場合、制御部６０は、Ｓ４４でＮＯと判断し、Ｓ３０に戻る。戻ったＳ３０では、制御部６０は、Ｓ３８で特定された位置補正値によって補正された位置にＬＣＯＳパネル３６で表示する画像の領域を移動させ、かつ／又は、Ｓ４２で特定された焦点補正値によって補正された位置にレンズ３８を移動させてマーカ画像を表示させる。そして、Ｓ３２〜Ｓ４４の各処理を再度実行する。【００５９】
Ｓ４６では、制御部６０は、この時点の設定（即ち、ＬＣＯＳパネル３６による画像の表示位置、及び、レンズ３８の位置）を示す設定情報を保存する。以後、制御部６０は、Ｓ４６で保存された設定情報が示す設定に基づいて、オブジェクト画像１００及びパターン画像１１０の表示を行う。【００６０】
（挙動検出処理；図１０）
続いて、図１０を参照して、制御部６０が実行する挙動検出処理の内容を説明する。挙動検出処理は、制御部６０が、取得されるＩＲ撮影画像４００（図５〜図８参照）に基づいてユーザの眼３００の挙動を検出し、眼３００の挙動に応じた操作を行うための処理である。図１０の挙動検出処理は、図９のキャリブレーション処理が終了したことをトリガとして開始される。制御部６０は、キャリブレーション処理（図９）の終了後に挙動検出処理（図１０）を開始し、以後繰り返し実行する。即ち、キャリブレーション処理の終了後、制御部６０は、画像取得処理（図４）と挙動検出処理（図１０）とを並行して実行する。【００６１】
Ｓ５０では、制御部６０は、ＩＲ撮影画像４００（図５〜図８参照）が取得されることを監視する。キャリブレーション処理の実行後、制御部６０は、何らかのオブジェクト画像（たとえば、ホーム画面に含まれるアイコンの画像、起動されたアプリケーションプログラムに対応する表示画像、等の任意のオブジェクト画像）の表示を実行する。上記の通り、制御部６０は、ＬＥＤパネル３２に赤色光、緑色光、青色光、近赤外光を時分割で照射させ（図４のＳ１０〜Ｓ１６）、赤色光、緑色光、青色光によってオブジェクト画像を形成している。そして、ユーザは、赤色光、緑色光、青色光によって表示されるオブジェクト画像を視認することができる。その状態でＬＥＤパネル３２が近赤外光を照射することによって、パターン画像１１０がユーザの眼に投影される（図４のＳ１６）。ＩＲカメラ２０によってその様子が撮影されると（図４のＳ１８）、制御部６０は、この時点のＩＲ撮影画像４００を取得することができる。その場合、制御部６０は、Ｓ５０でＹＥＳと判断し、Ｓ５２に進む。【００６２】
Ｓ５２では、制御部６０は、取得されたＩＲ撮影画像４００を分析し、この時点のユーザの視線を検出する。具体的には、Ｓ５２では、制御部６０は、ＩＲ撮影画像４００中の網膜画像３１０と周辺画像３２０とを参照し、ユーザの視線を検出する。【００６３】
続くＳ５４では、制御部６０は、所定期間継続して視線が固定されている（即ち、同じ位置を凝視している）か否かを判断する。制御部６０は、メモリ６２に記憶されている前回以前に判断された視線の検出結果と、Ｓ５２の検出結果とを参照し、所定期間継続して視線が固定されているか否かを判断する。制御部６０は、所定期間継続して視線が固定されていると判断すると（Ｓ５４でＹＥＳ）、Ｓ５５に進み、第１の操作を実行する。第１の操作は、例えば、アイコンの選択等、所定期間継続して視線が固定されていることに応じて予め決められている操作である。第１の操作により、例えば、外部カメラ１８による撮影の開始、所定の音声の再生等、録音の開始等、所定の機能を実行することもできる。制御部６０は、Ｓ５５を終えると、Ｓ５０に戻り、再びＩＲ撮影画像４００が取得されることを監視する。一方、制御部６０は、所定期間継続して視線が固定されていないと判断すると（Ｓ５４でＮＯ）、Ｓ５６に進む。【００６４】
Ｓ５６では、制御部６０は、所定期間継続して瞼が閉じられているか否かを判断する。制御部６０は、メモリ６２に記憶されている前回以前に判断された視線の検出結果と、Ｓ５２の検出結果とを参照し、所定期間継続して瞼が閉じられている（図８参照）か否かを判断する。制御部６０は、所定期間継続して瞼が閉じられていると判断すると（Ｓ５６でＹＥＳ）、Ｓ５７に進み、第２の操作を実行する。第２の操作は、例えば、アプリケーションの終了等、所定期間継続して瞼が閉じられていることに応じて予め決められている操作である。第２の操作により、例えば、外部カメラ１８による撮影の終了、音声の再生の停止、録音の停止等、所定の機能を実行することもできる。制御部６０は、Ｓ５７を終えると、Ｓ５０に戻り、再びＩＲ撮影画像４００が取得されることを監視する。一方、制御部６０は、所定期間継続して瞼が閉じられてないと判断すると（Ｓ５６でＮＯ）、Ｓ５８に進む。【００６５】
Ｓ５８では、制御部６０は、所定期間継続して視線が固定されていること、所定期間継続して瞼が閉じられていることとのどちらとも異なることに起因する第３の操作を実行する。第３の操作は、例えば、視線の移動に伴うカーソルの移動、アイコンの移動、画像の拡大等の操作である。第３の操作には、特に何の操作も行わないことを含んでもよい。制御部６０は、Ｓ５８を終えると、Ｓ５０に戻り、再びＩＲ撮影画像４００が取得されることを監視する。【００６６】
（焦点調整処理；図１１）
続いて、図１１を参照して、制御部６０が実行する焦点調整処理の内容を説明する。焦点調整処理は、制御部６０が、取得されるＩＲ撮影画像４００（図５〜図８参照）に基づいてユーザの眼３００の焦点距離を検出し、表示中のオブジェクト画像１００を焦点距離に適合する距離に表示させるための処理である。即ち、ユーザが、オブジェクト画像１００と異なる距離に焦点を合わせている場合に、オブジェクト画像１００をユーザの焦点距離に適合するように変更して表示させるための処理である。制御部６０は、キャリブレーション処理（図９）の終了後に挙動検出処理（図１０）を開始し、以後繰り返し実行する。即ち、キャリブレーション処理の終了後、制御部６０は、画像取得処理（図４）と挙動検出処理（図１０）と焦点調整処理（図１１）とを並行して実行する。なお、変形例では、制御部６０が図１１の焦点調整処理を実行しないように予め設定しておくことも可能である。【００６７】
Ｓ７０では、制御部６０は、ＩＲ撮影画像４００（図５〜図８参照）が取得されることを監視する。上記の通り、キャリブレーション処理の実行後、制御部６０は、何らかのオブジェクト画像の表示を実行する（図４のＳ１０〜Ｓ１４）。そして、ユーザがオブジェクト画像を視認している状態でＬＥＤパネル３２が近赤外光を照射することによって、パターン画像１１０がユーザの眼に投影される（図４のＳ１６）。ＩＲカメラ２０によってその様子が撮影されると（図４のＳ１８）、制御部６０は、この時点のＩＲ撮影画像４００を取得することができる。その場合、制御部６０は、Ｓ７０でＹＥＳと判断し、Ｓ７２に進む。【００６８】
Ｓ７２では、制御部６０は、取得されたＩＲ撮影画像４００を分析し、この時点の焦点差（即ち、ユーザの眼３００の焦点距離と、パターン画像１１０の表示距離）を特定する。焦点差の特定の手法は、上記図９のＳ３４で説明した手法と同様であるため、詳しい手法の説明は省略する。【００６９】
Ｓ７４では、制御部６０は、Ｓ７２で特定された焦点差の値が第２の閾値以上であるか否かを判断する。Ｓ７４の処理の内容は、上記図９のＳ４０の処理の内容と同様である。焦点差の値が第２の閾値以上である場合（即ち、現在表示されているオブジェクト画像１００に焦点が合っていない場合）、制御部６０は、Ｓ７４でＹＥＳと判断し、Ｓ７６に進む。一方、焦点差の値が第２の閾値より小さい場合、制御部６０は、Ｓ７４でＮＯと判断し、Ｓ７６、Ｓ７８をスキップして、Ｓ７０に戻る。【００７０】
Ｓ７６では、制御部６０は、オブジェクト画像１００の焦点距離を変更するための焦点補正値を特定する。焦点補正値は、Ｓ７２で特定された焦点差が小さくなるように、レンズ３８の位置を変更するための補正値である。【００７１】
続くＳ７８では、制御部６０は、駆動機構４０を動作させ、Ｓ７６で特定された焦点補正値によって補正された位置にレンズ３８を移動させてオブジェクト画像１００を表示させる。これにより、ユーザがオブジェクト画像１００を視認する体感視認距離が変更される。Ｓ７８を終えると、制御部６０は、Ｓ７０に戻り、Ｓ７０〜Ｓ７８の各処理を再度実行する。【００７２】
（認証処理；図１２）
続いて、図１２を参照して、制御部６０が実行する認証処理の内容を説明する。認証処理は、制御部６０が、取得されるＩＲ撮影画像４００に含まれる網膜画像３１０に表れる血管パターンを利用してユーザ認証を行うための処理である。認証処理は、キャリブレーション処理の終了後に行われる処理である。認証処理は、ユーザ認証が必要なアプリケーションプログラムの起動等、認証を要するアクションをトリガとして開始される。【００７３】
Ｓ９０では、制御部６０は、ＩＲ撮影画像４００（図５〜図８参照）が取得されることを監視する。図１２の認証処理が開始されたＳ９０の時点では、制御部６０は、所定の認証用の画像（即ちオブジェクト画像）の表示を行っている（図４のＳ１０〜Ｓ１４）。そして、ユーザがその認証用の画像を視認している状態でＬＥＤパネル３２が近赤外光を照射することによって、パターン画像１１０がユーザの眼に投影される（図４のＳ１６）。ＩＲカメラ２０によってその様子が撮影されると（図４のＳ１８）、制御部６０は、この時点のＩＲ撮影画像４００を取得することができる。その場合、制御部６０は、Ｓ９０でＹＥＳと判断し、Ｓ９２に進む。【００７４】
Ｓ９２では、制御部６０は、取得されたＩＲ撮影画像４００に、網膜画像３１０が含まれるか否かを判断する。例えば、図５〜図７の例のようにＩＲ撮影画像４００に網膜画像３１０が含まれる場合、制御部６０は、Ｓ９２でＹＥＳと判断し、Ｓ９４に進む。一方、図８の例のようにＩＲ撮影画像４００の網膜画像が含まれない場合、制御部６０は、Ｓ９２でＮＯと判断し、図１２の認証処理をエラー終了する。その場合、ユーザは再度認証のための操作を行う。【００７５】
Ｓ９４では、制御部６０は、ＩＲ撮影画像４００中の網膜画像３１０から、ユーザの眼３００の網膜３０６の表面に表れる血管パターンを抽出する。一般的に、網膜画像３１０は、ユーザの網膜３０６の血管パターンに対応した態様で、近赤外光による濃淡が表れる。制御部６０は、網膜画像３１０に表れる濃淡のパターンを分析することで、網膜３０６の血管パターンを抽出することができる。ユーザの網膜３０６に表れる血管のパターン（即ち模様）は当該ユーザに固有である。【００７６】
続くＳ９６では、制御部６０は、Ｓ９４で抽出された血管パターンを利用して、認証が成功したか否かを判断する。具体的には、Ｓ９６では、制御部６０は、Ｓ９４で抽出された血管パターンが、予めメモリ６２に登録されているユーザの血管パターンのいずれかに合致するか否かを判断する。制御部６０は、Ｓ９４で抽出された血管パターンが、予めメモリ６２に登録されているユーザの血管パターンのうちの一つと合致する場合、認証が成功したと判断する（Ｓ９６でＹＥＳ）。この場合、制御部６０は、図１２の認証処理を正常終了する。一方、制御部６０は、Ｓ９４で抽出された血管パターンが、予めメモリ６２に登録されているユーザの血管パターンのいずれとも合致しない場合、認証が失敗したと判断する（Ｓ９６でＮＯ）。この場合、制御部６０は、図１２の認証処理をエラー終了する。【００７７】
以上、本実施例の画像表示装置１０の構成及び動作について説明した。上記の通り、本実施例の画像表示装置１０は、網膜３０６に映るパターン画像１１０である網膜画像３１０に基づいて、眼の挙動を検出する（図９のＳ３４、図１０のＳ５２、図１１のＳ７２など）。一般的に、網膜３０６には、ユーザが眼３００を通じて認識する像と同じ像が映る。即ち、網膜画像３１０は、ユーザの眼３００の挙動（眼の向き、眼の位置、眼の焦点距離、眼の動作等）を直接反映した画像である。そのため、網膜画像３１０は、眼の反射光に比べて誤差が生じにくい。本実施例では、制御部６０は、そのような網膜画像３１０を分析するため、眼の反射光を分析する場合に比べて、眼の挙動を正確に検出し得る。従って、本実施例の画像表示装置１０によると、ユーザの眼の反射光に基づいてユーザの眼の挙動を検出する従来の構成を採用する場合に比べて、ユーザの眼３００の挙動を適切に検出し得る。【００７８】
また、本実施例では、画像表示装置１０は、図９のキャリブレーション処理を実行し、ユーザの眼３００の位置（右眼と左眼との間隔、眼の高さ等）、眼３００の焦点距離（ユーザの視力も含む）に応じて、オブジェクト画像１００及びパターン画像１１０を表示させる位置を調整する。ユーザ毎に目の位置が異なる。本実施例によると、画像表示装置１０は、検出された眼３００の位置に基づいて、ＬＣＯＳパネル３６がプリズム３４に向かって画像を照射する画像表示位置を変更することができる（図９のＳ３６、Ｓ３８）。従って、ユーザ毎の眼３００の位置に応じた適切な位置にオブジェクト画像１００及びパターン画像１１０を表示させることができる。また、画像表示装置１０は、検出された眼３００の焦点距離に基づいて、レンズ３８とプリズム３４との距離を変更することができる（図９のＳ４０、Ｓ４２）。従って、ユーザ毎の眼３００の焦点距離に応じた適切な距離にオブジェクト画像１００及びパターン画像１１０を表示させることができる。【００７９】
また、本実施例では、画像表示装置１０は、図１１の焦点調整処理を実行し、表示中のオブジェクト画像１００をユーザの眼３００の現在の焦点距離に適合する距離に表示させることができる。ユーザのオブジェクト画像１００の視認性を高めることができる。【００８０】
また、本実施例では、画像表示装置１０は、図１０の挙動検出処理を実行し、検出されたユーザの眼３００の挙動に応じた操作（即ち第１〜第３の操作）を行い、所定の機能を実行することができる。即ち、画像表示装置１０は、手や指による操作が行われない場合であっても、ユーザの眼３００の向きと眼３００の動作とのうちの少なくとも一方に基づいて、所定の機能を実行させることができる。【００８１】
また、本実施例では、画像表示装置１０は、図１２の認証処理を実行し、ＩＲ撮影画像４００に含まれる網膜画像３１０に基づいて網膜３０６の表面に表れる血管パターンを特定し、特定された血管パターンを利用してユーザ認証を行う。ユーザの網膜３０６に表れる血管パターンは当該ユーザに固有である。そのため、本実施例によると、画像表示装置１０は、ユーザに固有の網膜３０６に表れる血管パターンを用いてユーザ認証を行うことができる。ユーザは、認証のための個別の操作を行う必要がない。【００８２】
実施例と請求項の対応関係を説明しておく。ＬＥＤパネル３２、プリズム３４、及びＬＣＯＳパネル３６が「光源」の一例である。ＩＲカメラ２０が「近赤外光カメラ」の一例である。レンズ３８が「光学部材」の一例である。外部カメラ１８、表示部１４、及び制御部６０が「機能実行部」の一例である。【００８３】
以上、実施例を詳細に説明したが、これらは例示に過ぎず、請求の範囲を限定するものではない。請求の範囲に記載の技術には、以上に例示した具体例を様々に変形、変更したものが含まれる。例えば、以下の変形例を採用してもよい。【００８４】
（変形例１）上記の実施例では、ＬＥＤパネル３２とＬＣＯＳパネル３６とが別個に構成されている。これに限られず、ＬＥＤパネルとＬＣＯＳパネルとが一体に構成されていてもよい。この変形例では、一体に構成されるＬＥＤパネルとＬＣＯＳパネル、及び、プリズムが「光源」の一例である。【００８５】
（変形例２）上記の実施例では、レンズ３８により、表示部１４に照射される光の角度を変更（拡大）している。これに限られず、光の経路中に凹型のミラーを設け、ＬＣＯＳパネル３６で反射された画像の光の角度を変更して表示部１４に照射するようにしてもよい。この変形例では凹型のミラーが「光学部材」の一例である。【００８６】
（変形例３）制御部６０は、図９のキャリブレーション処理、図１１の焦点調整処理、図１２の認証処理、のうちの少なくとも一つの実行を省略してもよい。また、どの処理が実行されるべきかをユーザが設定可能であってもよい。【００８７】
（変形例４）上記の実施例では、画像表示装置１０は、右表示部１４Ｒ、左表示部１４Ｌを有している。これに限られず、画像表示装置１０は、右表示部１４Ｒ、左表示部１４Ｌのうちの一方のみを有していてもよい。その場合、右投影部３０Ｒ、左投影部３０Ｌも、一方のみ設けられていてもよい。【００８８】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【図１】
2018158921.tif 000003
【図２】
2018158921.tif 000004
【図３】
2018158921.tif 000005
【図４】
2018158921.tif 000006
【図５】
2018158921.tif 000007
【図６】
2018158921.tif 000008
【図７】
2018158921.tif 000009
【図８】
2018158921.tif 000010
【図９】
2018158921.tif 000011
【図１０】
2018158921.tif 000012
【図１１】
2018158921.tif 000013
【図１２】
2018158921.tif 000014
【国際調査報告】
2018158921.tif 000015
2018158921.tif 000016
2018158921.tif 000017
2018158921.tif 000018